(57)【特許請求の範囲】
【請求項１】
開口部が形成されたフレームと、
前記開口部に取り付けられたコーンと、
該コーンの裏面に対して裏面方向に延設されたボイスコイルボビンと、
該ボイスコイルボビンの端部に巻設されたボイスコイルと、
前記コーンの裏面であって、前記ボイスコイルボビンが取り付けられた位置の外側部分に設けられた基礎部と、
前記ボイスコイルボビンの前記端部から側方に一定の間隔を確保した状態で、ダンパーを介して前記基礎部に揺動可能に取り付けられた磁気部と、
を備えることを特徴とするスピーカ。
【請求項２】
１つの開口部が形成されたフレームと、
前記開口部に取り付けられた１枚のコーンと、
該コーンの裏面に複数配設されて、裏面方向へ延設された複数のボイスコイルボビンと、
それぞれの前記ボイスコイルボビンの端部に１つずつ巻設された、複数のボイスコイルと、
前記コーンの裏面であって、前記ボイスコイルボビンのそれぞれが取り付けられた位置の外側部分に、それぞれの前記ボイスコイルボビンに対応づけて１つずつ設けられた複数の基礎部と、
それぞれの前記ボイスコイルボビンの前記端部から側方に一定の間隔を確保した状態で、それぞれの前記基礎部に対してダンパーを介して揺動可能にそれぞれ取り付けられた
複数の磁気部と、
を備えることを特徴とするスピーカ。
【請求項３】
複数の前記ボイスコイルの中のいずれか一のボイスコイルに入力される音響信号が、いずれか他のボイスコイルに入力される音響信号と異なる信号であること
を特徴とする請求項２に記載のスピーカ。
【発明の詳細な説明】
【技術分野】
【０００１】
本発明はスピーカに関し、より詳細には、コーンに対して磁気部が取り付けられたスピーカに関する。
【背景技術】
【０００２】
聴取者が、音響信号（電気信号）に基づいて音楽（音）を聴く場合には、一般的にスピーカが用いられる。スピーカは、音響信号を空気振動（物理振動）へと変換させる機能を備えている。一般的なスピーカでは、コーン型と呼ばれるスピーカ構造が用いられている。
【０００３】
図４は、コーン型スピーカの一例を示した側方断面図である。スピーカ１００は、図４に示すように、ヨーク４０とプレート４１と磁石４２とを有する磁気部４３と、コーン４４とボイスコイルボビン４５とを有する振動部４６と、フレーム４７とを備えている。フレーム４７は、磁気部４３が固定される底面部４７ａと、エッジ４８を介してコーン４４の外周縁が揺動可能に取り付けられる枠部４７ｂとを有している。ボイスコイルボビン４５の磁気部４３側の端部には、ボイスコイル５０が巻設されている。ボイスコイル５０に音響信号を入力させることにより、音響信号に応じてボイスコイルボビン４５が振動される。音響信号に応じてボイスコイルボビン４５が振動されることによって、コーン４４から音響信号に応じた空気振動が発生されて、スピーカ１００から音が出力される構造になっている。
【０００４】
このようなスピーカ１００を用いてステレオの音楽等を聴く場合には、Ｒチャンネル用のスピーカと、Ｌチャンネル用のスピーカとを用いることが多い。Ｒチャンネル用のスピーカより右側用の音を出力させると共に、Ｌチャンネル用のスピーカから左側用の音を出力させることによって、聴取者に臨場感のあるステレオの音響環境を提供することが可能になる。
【０００５】
理想的なステレオの音響環境を構築するためには、Ｒチャンネル用のスピーカとＬチャンネル用のスピーカとを左右にバランス良く設置して、障害物等によりスピーカからの出力音が阻害されない環境を実現することが好ましい。しかしながら、スピーカが設置される環境は、さまざまな制限を受けることが多く、理想的な音響環境を実現することは容易ではない。
【０００６】
例えば、車両にスピーカが設置される場合には、図５（ａ）に示すように、Ｒチャンネル用のスピーカ６１，６２は右側ドア６５,６５に設置され、Ｌチャンネル用のスピーカ６３，６４は左側ドア６６，６６に設置されることが多い。このようにして設置された左右のスピーカ６１〜６４からステレオ音の出力を行った場合には、聴取者がどの席に着座した場合であっても、左右のスピーカ６１〜６４から聴取者までの距離に差が生じる。この距離差により、スピーカ６１〜６４からの出力音に位相差が生じることになるので、聴取者がステレオ感を感じ難くなるという問題があった。
【０００７】
このため、図５（ｂ）に示すように、Ｒチャンネル用のスピーカとＬチャンネル用のスピーカとを組み込んで一体にしたスピーカ６７を構成して、各聴取者の着座位置正面に設置する方法が提案されている。このように、左右チャンネル用のスピーカを一体にしたスピーカ６７を設置することによって、スピーカ６７の設置スペース・設置レイアウトに対する制限を低減させることができる。また、ステレオ音による効果的な音響環境を、聴取者に提供することが可能になる。
【０００８】
図６（ａ）（ｂ）は、左右チャンネル用のスピーカを一体に構成したスピーカの一例を示している。図６（ａ）（ｂ）に示すように、左右チャンネル用のスピーカを１つのフレーム７１を用いて１つのスピーカ７０にまとめることにより、構成の簡略化と省スペース化を図ることが可能になる。
【０００９】
図６（ａ）（ｂ）に示すスピーカ７０では、フレーム７１の正面側（図６（ｂ）におけるスピーカの上側）にコーン７５を設置するための開口部７３が２つ設けられており、それぞれの開口部７３には、エッジ７４を介してコーン７５が取り付けられている。また、コーン７５に取り付けられるボイスコイルボビン７６が、ダンパー７７を介してフレーム７１に取り付けられ、さらに、ボイスコイルボビン７６の下端部近傍（図６（ｂ）におけるスピーカの下側の端部）に磁気部７８が配置されてフレーム７１に固定される構成になっている。
【００１０】
このようにスピーカ７０を構成することにより、右側のコーン７５によって（より詳細には、磁気部７８やボイスコイルボビン７６等の協働により）Ｒチャンネル用の音響出力を実現し、左側のコーン７５によってＬチャンネル用の音響出力を実現することが可能になる。
【００１１】
ところで、図６（ａ）（ｂ）に示した構造のスピーカ７０を車両に設置する場合には、スピーカの設置スペース等の関係から、スピーカ７０の小型化を図る必要性が生じる。一方で、スピーカ７０を小型化すると、コーン７５の口径（コーン７５の面積）も小さくなる傾向がある。一般的に、小口径（小面積）のスピーカでは、低域音の出力（生成）性能が劣ってしまう傾向があり、十分な低域音の出力を実現することが容易ではないという問題があった。
【００１２】
一方で、低域の音響出力性能を高めるためには、コーンの面積を大きくすることが有効である。コーンの面積を大きくすることにより、コーンの振動面積を広くすることができるので、コーンの動きに連動させてより多くの空気を振動させることができ、低域音の出力性能を向上させることが可能になる。
【００１３】
図７（ａ）（ｂ）は、図６（ａ）（ｂ）に示したスピーカにおいて、左右それぞれに分かれていた２枚のコーン７５を、１枚にまとめて用いたスピーカを示している。図７（ａ）（ｂ）に示すスピーカ８０では、フレーム８１の正面側（図７（ｂ）におけるスピーカの上側）に、可能な限り大口径（大面積）となる１つの開口部８２が形成されている。開口部８２には、エッジ８４を介して１枚のコーン８５が取り付けられている。１枚のコーン８５の裏面であって長手方向に対して左右対象になる位置には、一対の（２つの）ボイスコイルボビン８６が設けられている。さらに、左右のそれぞれのボイスコイルボビン８６に対応して、左右それぞれの磁気部８７（ヨーク９０，磁石９１、プレート９２）が、フレーム８１に取り付けられている（例えば、特許文献１（段落００１７〜段落００３０、第１図〜第３図）参照）。
【００１４】
図７（ａ）（ｂ）に示すスピーカ８０では、図６（ａ）（ｂ）に示すスピーカに比べて、コーンの面積が広くなるため、結果的にコーン８５の口径（面積）が大きくなり、低域音の音響出力性能の向上を図ることが可能になる。
【先行技術文献】
【特許文献】
【００１５】
【特許文献１】特開２０１３−５１４９９号公報
【発明の概要】
【発明が解決しようとする課題】
【００１６】
図７（ａ）（ｂ）に示したスピーカ８０を用いる場合、通常は、左右一対に設置されるボイスコイルボビン８６のボイスコイル８９に対して、同じチャンネル用の音響信号が入力される構造（図７（ｂ）では、一例として、Ｒチャンネル用の音響信号（Ｒチャンネル信号）がアンプ（ＡＭＰ）から入力される構造）になっている。
【００１７】
それぞれのボイスコイル８９に同じチャンネルの音響信号が入力される場合には、ボイスコイルボビン８６が、音響振動に応じて、コーン８５の表裏方向（以下、上下方向と称する。）に、ほぼ同じ振動幅であってほぼ同じタイミングで振動することになる。このため、左右のボイスコイルボビン８６は、左右の磁気部８７に対して、ほぼ同じ振幅であってほぼ同じタイミングで、上下方向（表裏方向）に振動することになる。従って、ボイスコイルボビン８６が振動する場合には、ボイスコイルボビン８６の端部およびボイスコイル８９と、ヨーク９０あるいはプレート９２（または磁石９１）との側方の間隔（詳細には、上述した上下方向に直交する方向における間隔、以下、左右方向の間隔と称する）が一定に保たれた状態で、振動することになる。
【００１８】
一方で、図７（ａ）（ｂ）に示した構造からなるスピーカ８０において、右側のボイスコイル８９に対してＲチャンネル用の音響信号を入力させ、左側のボイスコイル８９に対してＬチャンネル用の音響信号を入力させることによって、１つのスピーカ（厳密には、１つのコーン）で、ステレオ音の出力（再生）を行いたいという要望が存在する。このようにしてステレオ音の出力を行うことができれば、１つのスピーカでステレオ音の出力が可能になるだけでなく、スピーカの小型化を実現しつつ、低域音を再生することが可能な大口径（大面積）のコーンを備えたスピーカ構造を実現することが可能になる。
【００１９】
しかしながら、図８（ａ）（ｂ）に示すように、右側のボイスコイル８９にＲチャンネル用の音響信号を入力させ、左側のボイスコイル８９にＬチャンネル用の音響信号を入力させると、左右のボイスコイルボビン８６の振動状態が、入力される音響信号によって異なるため、コーン８５の上下方向への振動が右側のボイスコイルボビン８６と左側のボイスコイルボビン８６とで異なった振動状態になってしまう場合があった。このように、左右のボイスコイルボビン８６の振動状態が異なると、図８（ｂ）に拡大して示したように、コーン８５の傾きに応じて、ボイスコイルボビン８６の端部（およびボイスコイル８９）と、ヨーク９０との間隔（左右方向の間隔）、あるいはプレート９２（または磁石９１）との間隔（左右方向の間隔）が、一定に保たれなくなってしまうおそれがある。このため、ボイスコイルボビン８６の端部（またはボイスコイル８９）が、ヨーク９０あるいはプレート９２（磁石９１）に干渉して内部こすれが発生するおそれがある。内部こすれが発生すると、スピーカ８０から異音が発生するおそれがあるという問題があった。
【００２０】
また、スピーカ８０の出力音量を制限することによって、コーン８５の傾きを抑制して、内部こすれの発生を抑えることも考えられる。しかしながら、スピーカ８０の出力音量を制限してしまうと、スピーカ８０の本来の性能を十分に発揮することができないという問題が生じてしまう。この問題は、図９に示すように、フレーム８１に対して強固な筐体９３を取り付けてフレーム８１を支持すると共に、筐体９３の底面に磁気部８７を固定する場合であっても、同様に生じ得るものであった。
【００２１】
さらに、図７および図８に示すように、フレーム８１の開口部８２に設けられた１枚のコーン８５に対して、２つのボイスコイルボビン８６および２つの磁気部８７を設ける構造はもちろんのこと、１枚のコーン８５に対して、１つのボイスコイルボビン８６（振動部）および１つの磁気部８７が設けられる構造のスピーカに対しても、スピーカの小型化に対する要求が高まっている。特に、車室内に設置されるスピーカに対しては、スピーカの薄型化および構造の簡略化が望まれていた。
【００２２】
本発明は、上記課題に鑑みて成されたものであり、第１の課題として、コーン型スピーカにおける薄型化および構造の簡略化を実現することが可能なスピーカを提供することを課題とする。また、第２の課題として、スピーカの小型化・省スペース化を図りつつ、可能な限りコーンの口径を大きく確保し、さらに、音量を抑制することなくステレオ音の出力を行うことが可能なスピーカを提供することを課題とする。
【課題を解決するための手段】
【００２３】
上記課題を解決するために、本発明に係るスピーカは、開口部が形成されたフレームと、前記開口部に取り付けられたコーンと、該コーンの裏面に対して裏面方向に延設されたボイスコイルボビンと、該ボイスコイルボビンの端部に巻設されたボイスコイルと、前記コーンの裏面であって、前記ボイスコイルボビンが取り付けられた位置の外側部分に設けられた基礎部と、前記ボイスコイルボビンの前記端部から側方に一定の間隔を確保した状態で、ダンパーを介して前記基礎部に揺動可能に取り付けられた磁気部とを備えることを特徴とする。
【００２４】
本発明に係るスピーカによれば、コーン裏面に基礎部が設けられ、この基礎部に対してダンパーを介して磁気部が揺動可能に取り付けられるため、従来のスピーカのように、コーンの裏面側をフレームの底面で覆って、あるいは、フレームの端部をコーンの裏面側に延伸させて、磁気部をフレームで支持する（フレームに固定する）必要性がなくなる。このため、スピーカの薄型化を図ることが容易となり、スピーカの設置スペースに対する制約を低減することが可能になる。
【００２５】
また、磁気部は、基礎部およびダンパーを介してコーンに取り付けられているため、ボイスコイルボビンの上下動に伴って生ずるコーンおよび基礎部の振動は、ダンパーによって調整された後に磁気部に伝達されることになる。ここで、ダンパーを介して磁気部が基礎部に取り付けられているので、コーンおよび基礎部の振動に伴って、磁気部が基礎部に連動して上下動等をすることはあっても、磁気部が基礎部に対して大きく位置関係を変動させたり（例えば、基礎部に対して磁気部が斜めに位置を変えたり）することはない。さらに、ダンパーが設けられているので、磁気部が基礎部に取り付けられる構造であっても、基礎部の振動が磁気部によって阻害されることはなく、基礎部の振動に影響を与えることもない。
【００２６】
また、基礎部およびボイスコイルボビンはコーンに取り付けられているので、ボイスコイルボビンが上下動することによって、基礎部およびコーンは、ボイスコイルボビンに連動して上下動する。ここで、基礎部には、ダンパーを介して磁気部が取り付けられており、ダンパーが磁気部に対する基礎部の振動を調整するので、基礎部と連動して上下動するコーンおよびボイスコイルボビンの上下動は、磁気部が基礎部に取り付けられることによって阻害されることはない。
【００２７】
また、磁気部はダンパーを介して基礎部に取り付けられており、ダンパーによって振動が調整されるので、磁気部が基礎部に対して斜めに位置を変動させたりすることがない。このため、基礎部がボイスコイルボビンに連動して上下動を行う場合、磁気部は、ボイスコイルボビンの端部から側方に一定の間隔を維持した状態で、ボイスコイルボビンに連動して上下動を行うことになる。従って、ボイスコイルボビンが上下動を行う場合において、ボイスコイルボビンの端部あるいはボイスコイルが、磁気部に接触（内部こすれ）してしまうことを防止することができる。
【００２８】
また、本発明に係るスピーカは、１つの開口部が形成されたフレームと、前記開口部に取り付けられた１枚のコーンと、該コーンの裏面に複数配設されて、裏面方向へ延設された複数のボイスコイルボビンと、それぞれの前記ボイスコイルボビンの端部に１つずつ巻設された、複数のボイスコイルと、前記コーンの裏面であって、前記ボイスコイルボビンのそれぞれが取り付けられた位置の外側部分に、それぞれの前記ボイスコイルボビンに対応づけて１つずつ設けられた複数の基礎部と、それぞれの前記ボイスコイルボビンの前記端部から側方に一定の間隔を確保した状態で、それぞれの前記基礎部に対してダンパーを介して揺動可能にそれぞれ取り付けられた複数の磁気部とを備えることを特徴とする。
【００２９】
また、上述したスピーカは、複数の前記ボイスコイルの中のいずれか一のボイスコイルに入力される音響信号が、いずれか他のボイスコイルに入力される音響信号と異なる信号であってもよい。
【００３０】
本発明に係るスピーカによれば、磁気部は、基礎部およびダンパーを介してコーンに取り付けられているため、ボイスコイルボビンが上下動する状態において、磁気部の動きは、ダンパーによって調整されることになる。従って、基礎部を介して磁気部がコーンに取り付けられる構造であっても、磁気部によって、ボイスコイルボビンの上下動が阻害されることはない。
【００３１】
さらに、磁気部が、基礎部およびダンパーを介してコーンに取り付けられているので、ボイスコイルボビンの上下動に連動して磁気部が上下動する。ここで、磁気部は、ダンパーを介して基礎部に取り付けられており、磁気部が基礎部に対して斜めに位置を変動させたりすることがない。このため、ボイスコイルボビンは、磁気部との間隔を一定に維持した状態で、音響信号に応じて上下動することになり、ボイスコイルボビンの端部が、磁気部と接触（内部こすれ）してしまうことを防止することができる。
【００３２】
特に、複数のボイスコイルのうち、いずれか一のボイスコイルに入力される音響信号が、他のボイスコイルに入力される音響信号と異なる場合には、一のボイスコイルボビンの上下動と、他のボイスコイルボビンの上下動とが、入力される音響信号によって異なる動きになってしまうおそれがある。
【００３３】
しかしながら、各ボイスコイルボビンが異なる上下動になる場合であっても、それぞれの磁気部は、それぞれの基礎部を介してコーンに取り付けられているので、それぞれのボイスコイルボビンの上下動に連動してそれぞれの磁気部が上下動することになる。このため、基礎部に揺動可能に取り付けられた磁気部に対し、各ボイスコイルボビンは、それぞれの磁気部との間隔を一定に維持した状態で、音響信号に応じて上下動することになる。従って、それぞれボイスコイルに異なる音響信号が入力される場合であっても。それぞれのボイスコイルボビンが、磁気部と接触（内部こすれ）してしまうことを防止することができる。このように、複数のボイスコイルボビンおよびボイスコイル等が、１枚のコーンに設けられた構造からなるスピーカに対して、それぞれ異なる音響信号を入力させる場合であっても、異なる音響信号に基づく音響出力を実現することができ、ステレオ出力を行うことが可能になる。
【００３４】
また、１つのコーンに対して複数のボイスコイルボビン、基礎部、磁気部等が設けられるので、複数のコーンに対してボイスコイルボビン、基礎部、磁気部等がそれぞれ１つずつ設けられる場合に比べて、コーンの口径（コーンの面積）を大きく確保することが可能になる。このため、本発明に係るスピーカでは、従来のスピーカ（図６（ａ）（ｂ）参照）に比べて、低域音の再生能力を高めることが可能になり、広い帯域の音声出力を１つのスピーカで実現することが可能になる。
【発明の効果】
【００３５】
本発明に係るスピーカによれば、コーン裏面に基礎部が設けられ、この基礎部に対してダンパーを介して磁気部が揺動可能に取り付けられるため、従来のスピーカのように、コーンの裏面側をフレームの底面で覆って、あるいは、フレームの端部をコーンの裏面側に延伸させて、磁気部をフレームで支持する（フレームに固定する）必要性がなくなる。このため、スピーカの薄型化を図ることが容易となり、スピーカの設置スペースに対する制約を低減することが可能になる。
【００３６】
また、磁気部は、基礎部およびダンパーを介してコーンに取り付けられているため、ボイスコイルボビンの上下動に伴って生ずるコーンおよび基礎部の振動は、ダンパーによって調整された後に磁気部に伝達されることになる。ここで、ダンパーを介して磁気部が基礎部に取り付けられているので、コーンおよび基礎部の振動に伴って、磁気部が基礎部に連動して上下動等をすることはあっても、磁気部が基礎部に対して大きく位置関係を変動させたり（例えば、基礎部に対して磁気部が斜めに位置を変えたり）することはない。さらに、ダンパーが設けられているので、磁気部が基礎部に取り付けられる構造であっても、基礎部の振動が磁気部によって阻害されることはなく、基礎部の振動に影響を与えることもない。
【００３７】
また、基礎部およびボイスコイルボビンはコーンに取り付けられているので、ボイスコイルボビンが上下動することによって、基礎部およびコーンは、ボイスコイルボビンに連動して上下動する。ここで、基礎部には、ダンパーを介して磁気部が取り付けられており、ダンパーが磁気部に対する基礎部の振動を調整するので、基礎部と連動して上下動するコーンおよびボイスコイルボビンの上下動は、磁気部が基礎部に取り付けられることによって阻害されることはない。
【００３８】
また、磁気部はダンパーを介して基礎部に取り付けられており、ダンパーによって振動が調整されるので、磁気部が基礎部に対して斜めに位置を変動させたりすることがない。このため、基礎部がボイスコイルボビンに連動して上下動を行う場合、磁気部は、ボイスコイルボビンの端部から側方に一定の間隔を維持した状態で、ボイスコイルボビンに連動して上下動を行うことになる。従って、ボイスコイルボビンが上下動を行う場合において、ボイスコイルボビンの端部あるいはボイスコイルが、磁気部に接触（内部こすれ）してしまうことを防止することができる。
【図面の簡単な説明】
【００３９】
【図１】実施の形態に係るスピーカを示した概略図であって、（ａ）は正面図を示し、（ｂ）は（ａ）におけるＡ−Ａ断面を示した側方断面図である。
【図２】実施の形態に係るスピーカを示した側方部分断面図および部分拡大図であって、左側のボイスコイルに入力される音響信号と右側のボイスコイルに入力される音響信号が異なる場合を示している。
【図３】実施の形態に係るスピーカを示した概略図であって、（ａ）は、図２の断面部分を拡大した図であり、（ｂ）は、コーン裏面における構成を示した展開斜視図である。
【図４】従来のコーン型スピーカを示した側方断面図である。
【図５】車室内にスピーカが設置される場合を例示した図であって、（ａ）はドア部分にスピーカが設置される場合を示し、（ｂ）は、聴取者の着座位置正面にスピーカが設置される場合を示している。
【図６】フレームに開口部が２カ所形成されると共に、磁気部がフレームに固定された従来のスピーカを示した図であって、（ａ）は正面図を示し、（ｂ）は（ａ）におけるＢ−Ｂ断面を示した側方部分断面図である。
【図７】フレームに開口部が１カ所形成されると共に、磁気部がフレームに固定された従来のスピーカを示した図であって、（ａ）は正面図を示し、（ｂ）は（ａ）におけるＣ−Ｃ断面を示した側方断面図である。
【図８】図７に示したスピーカにおいて、（ａ）は、左側のボイスコイルに入力される音響信号と右側のボイスコイルに入力される音響信号が異なる場合を示した側方部分断面図であり、（ｂ）は（ａ）の断面部分を拡大した図である。
【図９】図８に示したスピーカに対して、フレームを支持する筐体を設けると共に、筐体の底面に磁気部を固定した状態を示した側方断面図である。
【発明を実施するための形態】
【００４０】
以下、本発明に係るスピーカについて、その一例を示して詳細に説明する。
【００４１】
図１〜図３は、本発明に係るスピーカの概略構成を示した図を示している。図１（ａ）は、スピーカの正面図を示し、図１（ｂ）、図２は、スピーカの側方断面図を示している。また、図３（ａ）は、スピーカの一部を拡大した断面図を示しており、図３（ｂ）は、コーンの裏面側におけるスピーカの概略展開図を示している。
【００４２】
スピーカ１は、図１〜図３に示すように、フレーム２と、コーン（振動板）３と、ボイスコイルボビン４と、磁気部５と、基礎部６とにより概略構成されている。なお、ボイスコイルボビン４と、磁気部５と、基礎部６とは、２つずつスピーカ１に設けられている。
【００４３】
フレーム２は、中央に楕円形の開口部２１が１カ所だけ形成された枠体により構成されている。開口部２１は、フレーム２において可能な限り大口径となるような大きさに形成されている。また、フレーム２の四隅には、スピーカ１を取り付ける際に用いられる取り付け穴２２が設けられている。例えば、図５（ｂ）で示したように、車室内の聴取者の正面位置にスピーカを設置する場合には、インストルメントパネルや前席のヘッドレストの背面等に、取り付けが行われる。
【００４４】
フレーム２の開口部２１には、エッジ８を介して１枚のコーン３が取り付けられている。エッジ８は、コーン３の振動を許容しつつ支持するための部材であって、振動を許容するための柔軟性を備えている。また、エッジ８は、コーン３の振動を許容しつつも、ボイスコイルボビン４、基礎部６および磁気部５を支持することが可能な強度を備えている。
【００４５】
コーン３は、ボイスコイルボビン４の上下動（コーン３の表裏方向の振動）に応じて振動することにより、入力される音響信号を空気振動に変換して音を出力する振動板としての役割を有している。本実施の形態に係るコーン３は、パルプ材料等により構成される従来型のコーン紙よりも強度の高い素材によって形成される。
【００４６】
なお，コーン３を構成する素材は、十分な強度を備えつつ振動に応じて音を出力することが可能なものであれば特に限定されない。例えば、ポリエチレンやポリプロピレン等からなる高分子系振動板材料や、炭素繊維強化プラスチック、カーボンファイバーあるいはガラス繊維強化プラスチック等からなる複合化振動板材料や、全結晶ダイヤモンド振動板やダイヤモンド振動板等からなるセラミックス系振動板材料や、アルミニウム、チタニウム、ベリリウム、マグネシウム合金等からなる金属系振動板材料等を用いることが可能である。また、パルプ材料等により構成されるコーン紙等であっても、パルプ材料の改良等により、十分な強度と振動性能を備えるものであれば、用いることが可能である。
【００４７】
ボイスコイルボビン４、磁気部５および基礎部６は、図１（ｂ）、図２に示すように、コーン３の裏面側であって、コーン３の長手方向に一対を成すように、バランス良く配置される。
【００４８】
ボイスコイルボビン４は、コーン３の裏面であって、裏面方向へ延設されるようにして設けられている。ボイスコイルボビン４は、端部が開放された円筒形状を呈しており、ボイスコイルボビン４の下端部（コーン３の裏面方向側の端部）には、ボイスコイル９が設けられている。ボイスコイル９には、図示を省略したアンプあるいは音楽再生部より出力される音響信号が、コード線を介して入力される。なお、本実施の形態に係るスピーカ１では、一対を成すボイスコイル９のいずれか一方に、Ｌチャンネル用の音響信号が入力され、いずれか他方に、Ｒチャンネル用の音響信号が入力される構成となっている。
【００４９】
コーン３の裏面側であって、ボイスコイルボビン４の取り付け位置の外側部分には、端部が開放された円筒形状を呈する、基礎部６が設けられている。円筒形状を呈する基礎部６の中心軸は、ボイスコイルボビン４の中心軸と同芯をなすようにして形成されている。このようにして基礎部６が、コーン３の裏面に取り付けられることにより、コーン３の裏面に円環状の突起部が形成されることになる。基礎部６は、磁気部５を支持するために必要な強度が確保されている。
【００５０】
基礎部６を構成する素材としては、磁気部５を支持するために必要とされる強度を備えたものであって、さらに、裏面に基礎部６が取り付けた状態でコーン３が振動しても、基礎部６によってコーン３の振動が妨げられないものであることが望ましい。例えば、コーン３と同じ素材などを用いて基礎部６をコーン３に取り付けることにより、コーン３と基礎部６とが一体となって振動等が行われやすくなるので、コーン３の振動を、基礎部６によって妨げられ難くすることができる。なお、基礎部６は、コーン３が別部材であって、基礎部６がコーン３に取り付けられる構造であってもよく、または、基礎部６とコーン３とが一体として形成されるものであってもよい。
【００５１】
基礎部６の下端部（コーン３の裏面方向の端部）には、図３（ａ）（ｂ）に示すように、ダンパー１０が取り付けられており、このダンパー１０を介して磁気部５が基礎部６に取り付けられている。ダンパー１０は、柔軟性を備えた板材をくり抜き加工することにより形成されている。ダンパー１０は、基礎部６の下端部に固定される大径円環部１０ａと、磁気部５に固定される小径円環部１０ｂとが、略Ｓ字を呈する３つの脚部１０ｃによって連結された構造となっている。略Ｓ字の脚部１０ｃにより、小径円環部１０ｂに対する大径円環部１０ａへの振動が振動量に応じて柔軟に許容あるいは吸収されることにより、振動の調整が行われる構造になっている。
【００５２】
例えば、振動が小さい場合には、基礎部６の振動が阻害されないようにダンパー１０が柔軟に動いて振動を許容する一方で、振動が所定量以上大きい場合には、ダンパー１０が振動を積極的に吸収することにより、過度に大きな振動が磁気部５に伝達されないようにすることができる。このようなダンパー１０における振動の調整量設定は、ダンパー１０を構成する素材やその強度、脚部１０ｃの形状や寸法等によって調整・変更することが可能である。
【００５３】
磁気部５は、ダンパー１０の小径円環部１０ｂに取り付けられている。磁気部５は、お椀状のヨーク２４と、円盤状のプレート２５および磁石２６とにより概略構成されている。ヨーク２４の中央部には、プレート２５および磁石２６に対応する円盤状の台座部２４ａが形成されている。磁石２６は、台座部２４ａの上に積層設置されており、さらに、その上にプレート２５が積層設置されている。積層設置された磁石２６およびプレート２５の側面２５ａは、ヨーク２４の椀状壁の内側面２４ｂと対向している。磁石２６およびプレート２５の側面２５ａとヨーク２４の椀状壁の内側面２４ｂとの間には、一定間隔で間隙が形成されている。ダンパー１０を介して基礎部６に磁気部５が取り付けられると、間隙に対して、ボイスコイルボビン４の下端部が挿入される。ボイスコイルボビン４の下端部には、ボイスコイル９が巻設されている。このため、ボイスコイルボビン４の下端部およびボイスコイル９は、ヨーク２４の椀状壁の内側面２４ｂと側方に一定の間隔を保ち、さらに、磁石２６およびプレート２５の側面２５ａと側方に一定の間隔を保った状態で、間隙内に配置されることになる。
【００５４】
このようにして構成されるスピーカ１に対して音響信号を入力すると、ボイスコイル９に入力された音響信号に応じて、ボイスコイルボビン４が上下動してコーン３が振動されて、音がコーン３の表面方向へと出力されることになる。
【００５５】
ここで、磁気部５は、コーン３に対して基礎部６およびダンパー１０を介して取り付けられている。このため、ボイスコイルボビン４が上下動すると、コーン３の上下動に連動して基礎部６が上下動することになる。磁気部５はダンパー１０を介して基礎部６に取り付けられているので、基礎部６が上下動を行った場合には、ダンパー１０によって上下動が調整されることになる。従って、基礎部６を介して磁気部５がコーン３に取り付けられる構造であっても、ダンパー１０によって上下動の調整が行われるので、基礎部６、コーン３およびボイスコイルボビン４の振動が、磁気部５によって阻害されることはない。
【００５６】
また、右側のボイスコイル９に対してＲチャンネル用の音響信号が入力され、左側のボイスコイル９に対してＬチャンネル用の音響信号が入力された場合には、左右のボイスコイルボビン４，４の上下動が異なる動きになるおそれもある。しかしながら、磁気部５はダンパー１０を介して基礎部６に取り付けられており、ダンパー１０によって振動が調整されるので、磁気部５は、基礎部６に対して斜めに位置を変動させたりすることはなく、基礎部６と連動して上下動を行う。このため、基礎部６がボイスコイルボビン４に連動して上下動を行う場合、図２に拡大して示すように、磁気部５の間隙内に配置されたボイスコイルボビン４およびボイスコイル９は、ヨーク２４の椀状壁の内側面２４ｂとの間隔、さらに、磁石２６およびプレート２５の側面２５ａとの間隔を一定に維持した状態で、音響信号に応じて上下動することになる。従って、左右のボイスコイル９に対してそれぞれ異なる音響信号（例えば、ステレオ信号）が入力される場合であって、１枚のコーン３に１対（２つ）の磁気部５が設けられる構成であっても、ボイスコイルボビン４またはボイスコイル９が、ヨーク２４の内側面２４ｂ、磁石２６およびプレート２５の側面２５ａと接触（内部こすれ）してしまうことを防止することができる。
【００５７】
また、開口部２１が、フレーム２に対して可能な限り大口径となるようにして形成されており、この開口部２１に１枚のコーン３が設けられている。このような構成を採用することによって、コーン３の口径を大きくすることができるので、図６（ａ）（ｂ）に示した従来のフレームのように２つの開口部が形成されるスピーカに比べて、低域音の再生能力を高めることが可能になり、広い帯域の音声出力を１つのスピーカで実現することが可能になる。
【００５８】
なお、コーン３が振動する場合、コーン３はボイスコイル９の変動量に応じて、コーン３全体がコーン３の表裏方向に動く「ピストン運動」と、ボイスコイル９が高速で動くことによりコーン３がうねった状態で動く「分割振動」との２種類の振動を発生させることによって、音の出力を行う。一般的に、出力音の周波数が低い場合には「ピストン運動」により音の出力が行われ、周波数が高い場合には、「分割振動」により音の出力が行われる傾向が強い。
【００５９】
「ピストン運動」の場合には、上述したように、コーン３全体が一体となって同一方向に動く。このため、コーン３の裏面に基礎部６（突起部）が設けられても、ピストン運動に伴って、基礎部６がコーン３と一体になって表裏方向に振動することになるので、スピーカ１における音の出力性能には影響を与えない。
【００６０】
また、「分割振動」に関して、基礎部６が取り付けられた部分におけるコーン３のうねり（振動）は、基礎部６が設けられていない箇所のうねり（振動）と異なる動きになる可能性がある。しかしながら、基礎部６が取り付けられた部分に対するコーン３の内側のうねりと外側のうねりとは、連動する動きになる。例えば、川の流れにおいて、狭い川幅から広い川幅へと水の流れが変化した場合には、一時的に水の速度が遅くなるが、その後に初めと同じ川幅（狭い川幅）になると、水の流れが初めの速度に戻る現象が知られている。コーン３のうねり（振動）に関しても、基礎部６の取り付け部分における振動が、この取り付け部分の内側のうねり（振動）または外側のうねり（振動）と異なる動きになる可能性はある。しかしながら、取り付け部分の内側と外側とのうねりは、連動した動き（うねり）になるため、基礎部６によってうねりの連続性が阻害されることない。このため、コーン３に基礎部６が設けられていても、分割振動によってコーン３から出力される音の出力性能（例えば、音質等）に、影響を与えることはない。
【００６１】
さらに、既に説明したように、磁気部５は、ダンパー１０を介して基礎部６に取り付けられている。このため、基礎部６に磁気部５が取り付けられる場合であっても、ダンパー１０が磁気部５の動きを調整することができる。磁気部５が、ダンパー１０および基礎部６を介してコーン３に取り付けられる構造であっても、磁気部５の動きによってボイスコイルボビン４の上下動が阻害されることはないので、スピーカ１における音の出力性能を十分に確保し、機能させることが可能である。
【００６２】
以上、本発明に係るスピーカに関し、実施の形態に係るスピーカ１を一例として示し、図面を用いて詳細に説明を行った。しかしながら、本発明に係るスピーカは、実施の形態に示したスピーカ１の構造には限定されず、他の構造により構成されるものであってもよい。当業者であれば、特許請求の範囲に記載された範疇内において、各種の変更例または修正例に想到しうることは明らかであり、それらについても当然に本発明の技術的範囲に属するものと了解される。
【００６３】
例えば、実施の形態に係るスピーカ１では、フレーム２に１つの開口部２１が形成され、この開口部２１に１枚のコーンが設けられると共に、コーン３に対して、２つ（一対）のボイスコイルボビン４、基礎部６および磁気部５が設けられる構造について説明を行った。しかしながら、ボイスコイルボビン４、基礎部６および磁気部５は、１枚のコーンに必ずしも２つずつ設けられる構造に限定されるものではない。磁気部５が基礎部６を介してコーン３に直接取り付けられる構造であるならば、１枚のコーンに対してボイスコイルボビン４、基礎部６および磁気部５が１つずつ設けられる構造であってもよく、あるいは、３つずつ以上設けられる構造であってもよい。
【００６４】
例えば、１枚のコーンに１つのボイスコイルボビンが設けられると共に、１つの基礎部を介して１つの磁気部が取り付けられる構造である場合には、従来のスピーカのように、フレームで磁気部を支持・固定する必要性がなくなる。このため、スピーカの薄型化を図ることが容易となり、スピーカの設置スペースに対する制約を低減することが可能になる。特に、車室内に設置されるスピーカには、スピーカの薄型化が望まれているため、設置に対する制約を効果的に低減させることができる。
【００６５】
また、１枚のコーンに３つ以上のボイスコイルボビンが設けられ、各ボイスコイルボビンの設置位置に対応させて基礎部がそれぞれ設けられ、それぞれの基礎部に対して磁気部がそれぞれ設けられる構成である場合には、上述したように、磁気部がダンパーおよび基礎部を介してコーンに直接設けられるので、スピーカの小型化を図ることが容易になる。
【００６６】
さらに、複数のボイスコイルに対して少なくとも１つ以上の異なる音響信号が入力される場合であっても、磁気部が、基礎部を介してコーンに取り付けられているので、それぞれのボイスコイルボビンの上下動に連動してそれぞれの磁気部が上下動することになる。このため、磁気部の間隙内に配置されたボイスコイルボビンは、ヨークの椀状壁の内側面との間隔、さらに、磁石およびプレートの側面との間隔を一定に維持した状態で、音響信号に応じて上下動することになる。
【００６７】
従って、複数のボイスコイルに対してそれぞれ異なる音響信号（例えば、ステレオ信号）が入力される場合であって、１枚のコーンに複数のボイスコイルボビン、基礎部および磁気部が設けられる構成であっても、ボイスコイルボビンの下端部が、ヨークの内側面、磁石あるいはプレートの側面と接触（内部こすれ）してしまうことを防止することが可能になる。
【００６８】
また、本実施の形態に係るスピーカ１では、端部が開放された円筒形状を呈する基礎部６について説明を行ったが、基礎部の形状は円筒形状には限定されない。基礎部は、磁気部を支持することが可能な形状であって、コーンが振動した場合においてコーンの振動を妨げない形状であれば十分であり、その形状は特に限定されない。例えば、基礎部が、複数の柱状部材により構成され、ボイスコイルボビンの中心軸に対して等距離だけ離れた位置に等間隔で配置されるものであってもよい。このように、柱状部材からなる基礎部が、ボイスコイルボビンの外周部分に等間隔で配置される場合であっても、ダンパーを介して基礎部で磁気部を支持することができるので、実施の形態に示した基礎部６と同様の効果を奏することが可能である。
【符号の説明】
【００６９】
１、６１、６２、６３、６４、６７、７０、８０、１００     …スピーカ
２、４７、７１、８１     …フレーム
３、４４、７５、８５     …コーン
４、４５、７６、８６     …ボイスコイルボビン
５、４３、７８、８７     …磁気部
６     …基礎部
８、４８、７４、８４   …エッジ
９、５０、８９   …ボイスコイル
１０、７７   …ダンパー
１０ａ  …（ダンパーの）大径円環部
１０ｂ  …（ダンパーの）小径円環部
１０ｃ  …脚部
２１、７３、８２   …（フレームの）開口部
２４、４０、９０   …ヨーク
２４ａ  …（ヨークの）台座部
２４ｂ  …（ヨークの）内側面
２５、４１、９２   …プレート
２６、４２、９１   …磁石
２５ａ  …（プレートの）側面
４６   …振動部
４７ａ  …（フレームの）底面部
４７ｂ  …（フレームの）枠部
６５   …右側ドア
６６   …左側ドア
９３   …筐体
【図１】
0006407673.tif 000002
【図２】
0006407673.tif 000003
【図３】
0006407673.tif 000004
【図４】
0006407673.tif 000005
【図５】
0006407673.tif 000006
【図６】
0006407673.tif 000007
【図７】
0006407673.tif 000008
【図８】
0006407673.tif 000009
【図９】
0006407673.tif 000010